(57)【要約】【課題】  使用時の快適性に優れたサンバイザーを提供する。【解決手段】  庇部材１０は、頭部の前方に張り出す張出部１２と、張出部１２を頭部に対して固定するための固定部１４とを有している。被覆部材２０は、庇部材１０とは別体に設けられ、頭部を上方から覆う。庇部材１０の固定部１４は、装着時、被覆部材２０の上から、頭部の周囲の少なくとも一部を包囲する。【選択図】  図１
2016191187.tif 000002
【特許請求の範囲】
【請求項１】
装着者の頭部に装着されるサンバイザーであって、
前記頭部の前方に張り出す張出部と、前記張出部を前記頭部に対して固定するための固定部とを有する庇部材と、
前記庇部材とは別体に設けられ、前記頭部を上方から覆う被覆部材と、を備え、
前記庇部材の前記固定部は、装着時、前記被覆部材の上から、前記頭部の周囲の少なくとも一部を包囲することを特徴とするサンバイザー。
【請求項２】
請求項１に記載のサンバイザーにおいて、
装着時、前記庇部材の前記張出部と前記頭部との間には、前記被覆部材が介在するサンバイザー。
【請求項３】
請求項１又は２に記載のサンバイザーにおいて、
前記庇部材は、シート状をしているサンバイザー。
【請求項４】
請求項３に記載のサンバイザーにおいて、
前記庇部材は、前記張出部と前記固定部とで囲まれた開口部を有しており、
装着時、前記庇部材の前記開口部から前記被覆部材の一部が突出するサンバイザー。
【請求項５】
請求項１乃至４の何れかに記載のサンバイザーにおいて、
前記被覆部材は、複数の切目を有するシート状をしており、
当該被覆部材は、装着時、前記各切目が広がることにより、前記頭部の形状に沿って立体的に変形するサンバイザー。
【請求項６】
請求項５に記載のサンバイザーにおいて、
前記各切目は、第１の方向に沿って延びているサンバイザー。
【請求項７】
請求項６に記載のサンバイザーにおいて、
前記第１の方向は、前記頭部の前後方向に等しいサンバイザー。
【請求項８】
請求項６又は７に記載のサンバイザーにおいて、
前記複数の切目は、互いに平行な直線状をしているサンバイザー。
【請求項９】
請求項８に記載のサンバイザーにおいて、
前記複数の切目は、前記第１の方向に垂直な第２の方向に沿って中央から両端に近づくにつれて短くなるサンバイザー。
【請求項１０】
請求項８又は９に記載のサンバイザーにおいて、
前記複数の切目のうち隣り合う２つの切目の間隔は、最大でも２ｃｍ以下であるサンバイザー。
【請求項１１】
請求項１０に記載のサンバイザーにおいて、
前記間隔は、最大でも１ｃｍ以下であるサンバイザー。
【請求項１２】
請求項５乃至１１の何れかに記載のサンバイザーにおいて、
前記複数の切目は、前記被覆部材の略全体にわたって設けられているサンバイザー。
【請求項１３】
請求項５乃至１２の何れかに記載のサンバイザーにおいて、
非装着時、前記被覆部材には、開口が存在しないサンバイザー。
【請求項１４】
請求項１乃至１３の何れかに記載のサンバイザーにおいて、
前記被覆部材は、含水機能を有するサンバイザー。
【請求項１５】
請求項１乃至１４の何れかに記載のサンバイザーにおいて、
前記庇部材及び前記被覆部材は、紙製であるサンバイザー。
【請求項１６】
請求項１乃至１５の何れかに記載のサンバイザーにおいて、
前記庇部材と前記被覆部材とは、相異なる色を有するサンバイザー。
【請求項１７】
請求項１乃至１６の何れかに記載のサンバイザーにおいて、
前記庇部材と前記被覆部材とを固着する固着手段を備えるサンバイザー。
【請求項１８】
請求項１７に記載のサンバイザーにおいて、
前記固着手段は、前記庇部材と前記被覆部材とを着脱自在に固着するサンバイザー。
【請求項１９】
請求項１８に記載のサンバイザーにおいて、
前記固着手段は、粘着テープ又は面ファスナーであるサンバイザー。
【発明の詳細な説明】
【技術分野】
【０００１】
本発明は、サンバイザーに関する。
【背景技術】
【０００２】
従来のサンバイザーとしては、例えば特許文献１に記載されたものがある。同文献に記載されたサンバイザーは、ベルト部と庇部とを備えている。このサンバイザーは、ベルト部を頭の周囲に巻き付けることにより装着される。装着時、庇部は、頭部の前方に張り出した状態となる。
【先行技術文献】
【特許文献】
【０００３】
【特許文献１】特開２００１−４９５１５号公報
【発明の概要】
【発明が解決しようとする課題】
【０００４】
上述のサンバイザーにおいては、庇部を頭部に固定するために、ベルト部を頭に対して、ある程度の強さで巻き付けることが必要となる。それゆえ、サンバイザーが装着されている間、頭部は、ベルト部によって圧迫され続けることになる。このことは、サンバイザーの快適な使用を妨げる要因となっていた。
【０００５】
本発明は、上記課題に鑑みてなされたものであり、使用時の快適性に優れたサンバイザーを提供することを目的とする。
【課題を解決するための手段】
【０００６】
本発明によるサンバイザーは、装着者の頭部に装着されるサンバイザーであって、上記頭部の前方に張り出す張出部と、上記張出部を上記頭部に対して固定するための固定部とを有する庇部材と、上記庇部材とは別体に設けられ、上記頭部を上方から覆う被覆部材と、を備え、上記庇部材の上記固定部は、装着時、上記被覆部材の上から、上記頭部の周囲の少なくとも一部を包囲することを特徴とする。
【０００７】
このサンバイザーにおいては、庇部材とは別体に、被覆部材が設けられている。そして、庇部材の固定部は、被覆部材の上から、頭部の周囲の少なくとも一部を包囲する。固定部と頭部との間に被覆部材が介在することにより、固定部から頭部が受ける圧迫感を緩和ないし解消することができる。
【発明の効果】
【０００８】
本発明によれば、使用時の快適性に優れたサンバイザーが実現される。
【図面の簡単な説明】
【０００９】
【図１】本発明によるサンバイザーの一実施形態を示す平面図である。
【図２】被覆部材２０が頭部に装着された状態を示す斜視図である。
【図３】装着時の被覆部材２０を示す平面図である。
【図４】庇部材１０が頭部に装着された状態を示す斜視図である。
【図５】切目２２の一変形例を説明するための平面図である。
【図６】切目２２の他の変形例を説明するための平面図である。
【図７】変形例に係る被覆部材２０を示す斜視図である。
【図８】固定部１４の変形例を説明するための平面図である。
【図９】固定部１４の変形例を説明するための平面図である。
【発明を実施するための形態】
【００１０】
以下、図面を参照しつつ、本発明の実施形態について詳細に説明する。なお、図面の説明においては、同一要素には同一符号を付し、重複する説明を省略する。
【００１１】
図１は、本発明によるサンバイザーの一実施形態を示す平面図である。サンバイザー１は、装着者の頭部に装着されるサンバイザーであって、庇部材１０、及び被覆部材２０を備えている。庇部材１０と被覆部材２０とは、互いに別体に設けられている。
【００１２】
庇部材１０は、張出部１２及び固定部１４を有している。張出部１２は、装着時、頭部の前方に張り出す部分である。固定部１４は、装着時、張出部１２を頭部に対して固定するための部分である。庇部材１０はシート状をしており、張出部１２及び固定部１４は、１枚のシート上に連設されている。庇部材１０には、１つの固定部１４が一連に設けられている。この固定部１４は、張出部１２の左側から右側まで弧を描きながら延びている。これにより、庇部材１０は、張出部１２と固定部１４とで囲まれた開口部１６を有している。庇部材１０の材料としては、例えば、紙又はプラスチックを用いることができる。
【００１３】
被覆部材２０は、装着時、頭部を上方から覆う。被覆部材２０は、シート状をしている。被覆部材２０は、図中の上下左右方向について、上端及び下端が外側に膨らんだ弧状をしており、左端及び右端が直線状をしている。被覆部材２０の材料としても、例えば、紙又はプラスチックを用いることができる。被覆部材２０は、庇部材１０と同一の色を有していてもよいし、相異なる色を有していてもよい。
【００１４】
被覆部材２０には、複数の切目２２が形成されている。各切目２２は、図中の上下方向（第１の方向）に沿って延びている。第１の方向は、装着時の頭部の前後方向に等しい。これらの切目２２は、互いに離間しており、交わることがない。本実施形態においては、全ての切目２２が互いに平行な直線状をしている。また、これらの切目２２は、等間隔で配設されている。すなわち、全ての切目２２について、隣り合う２つの切目２２の間隔は相互に等しい。当該間隔は、２ｃｍ以下であることが好ましく、１ｃｍ以下であることがより好ましい。
【００１５】
切目２２の長さについてみると、図中の左右方向（第２の方向）に沿って中央から両端に近づくにつれて短くなっている。すなわち、中央から比較的近い位置にある切目２２と中央から比較的遠い位置にある切目２２とを比べたとき、前者の方が後者よりも長い。第２の方向は、装着時の頭部の左右方向に等しい。図１からわかるように、切目２２は、被覆部材２０の略全体にわたって設けられている。
【００１６】
非装着時、庇部材１０及び被覆部材２０は、何れも平坦な形状をしている。すなわち、庇部材１０の面に垂直な方向に突出する部分は、存在しない。被覆部材２０についても同様である。また、非装着時の被覆部材２０には、開口が存在しない。
【００１７】
図２〜図４を参照しつつ、サンバイザー１の装着の仕方を説明する。まず、被覆部材２０を頭部に装着する。図２は、被覆部材２０が頭部に装着された状態を示す斜視図である。また、図３は、装着時の被覆部材２０を示す平面図である。これらの図に示すように、装着時、各切目２２が広がることにより、被覆部材２０は、頭部の形状に沿って立体的に変形する。かかる装着状態を実現するには、例えば、被覆部材２０を頭頂部に押し当てながら、その左右両端を手で引き下げればよい。広がった切目２２の隙間からは、頭髪ないし頭皮が露出する。
【００１８】
次に、被覆部材２０の上から庇部材１０を頭部に装着する。図４は、庇部材１０が頭部に装着された状態を示す斜視図である。同図に示すように、庇部材１０の固定部１４は、被覆部材２０の上から、頭部の周囲の少なくとも一部を包囲する。すなわち、装着時、固定部１４と頭部との間には、被覆部材２０が介在する。本実施形態においては、装着時、張出部１２と頭部との間にも、被覆部材２０が介在している。このとき、庇部材１０の開口部１６から被覆部材２０の一部（頂部を含む部分）が突出する。また、庇部材１０の張出部１２の先端は、被覆部材２０の先端（図１における上端）よりも前方に位置する。これにより、サンバイザー１が頭部に装着される。
【００１９】
なお、サンバイザー１は、庇部材１０と被覆部材２０とを固着する固着手段を備えていてもよい。固着手段は、庇部材１０と被覆部材２０とを着脱自在に固着するものであることが好ましい。ここで、着脱自在とは、庇部材１０及び被覆部材２０を損傷することなく、被覆部材２０に対する庇部材１０の取付け及び取外しを容易に行えるということである。かかる固着手段としては、例えば、粘着テープ又は面ファスナーを用いることができる。例えば、粘着テープ又は面ファスナーを介して、被覆部材２０の上面（頭部に対向する下面とは反対側の面）の一部分と、張出部１２の下面における一部分（被覆部材２０の上記部分に接する部分）とを貼り合わせることが考えられる。
【００２０】
サンバイザー１の効果を説明する。サンバイザー１においては、庇部材１０とは別体に、被覆部材２０が設けられている。そして、庇部材１０の固定部１４は、被覆部材２０の上から、頭部の周囲の少なくとも一部を包囲する。固定部１４と頭部との間に被覆部材２０が介在することにより、固定部１４から頭部が受ける圧迫感を緩和ないし解消することができる。したがって、使用時の快適性に優れたサンバイザー１が実現されている。
【００２１】
このようにサンバイザー１においては、被覆部材２０のクッション効果により、固定部１４による圧迫感が緩和ないし解消される。さらに、被覆部材２０によって頭部が覆われるため、庇部材１０より高い位置においても、頭部に射し込もうとする日光を遮ることができる。
【００２２】
装着時、庇部材１０の張出部１２と頭部との間にも、被覆部材２０が介在している。これにより、張出部１２が頭部に接触するのを防ぐことができる。このことも、サンバイザー１の使用時における快適性の向上に資する。
【００２３】
庇部材１０及び被覆部材２０は、シート状をしている。これにより、非装着時、サンバイザー１をコンパクトに収納することができる。
【００２４】
サンバイザー１は、装着時、庇部材１０の開口部１６から被覆部材２０の一部が突出するように構成されている。このため、被覆部材２０の一部が開口部１６を通るようにして、被覆部材２０の上に庇部材１０を乗せることにより、庇部材１０を装着することができる。これにより、庇部材１０ひいてはサンバイザー１の装着が容易になる。
【００２５】
被覆部材２０には、複数の切目２２が設けられている。装着時には、これらの切目２２が広がることにより、頭部の形状に沿って被覆部材２０が立体的に変形する。このため、特段の組立作業を行わなくても、頭部の形状に沿った立体形状を有する被覆部材２０を得ることができる。また、かかる構成の被覆部材２０によれば、装着時に切目２２が広がることにより隙間が形成されるため、風通しが良くなり、頭部が蒸れにくいという利点も得られる。
【００２６】
しかも、切目２２は、庇部材１０に対するストッパーとしても機能する。すなわち、装着時、切目２２に固定部１４を引っ掛けておくことにより、被覆部材２０から庇部材１０がずれるのを防ぐことができる。
【００２７】
各切目２２は、第１の方向（頭部の前後方向）に沿って延びている。これにより、装着時の被覆部材２０に形成される開口（広がった各切目２２の隙間）も当該方向に延在する形状となるため、頭部の前後方向から被覆部材２０が受ける空気抵抗を小さく抑えることができる。このため、サンバイザー１を装着した状態で走ったり自転車に乗ったりした場合であっても、被覆部材２０ひいてはサンバイザー１が風圧で飛ばされにくくなる。
【００２８】
切目２２は、互いに平行な直線状をしている。かかる切目２２が形成された部分は、当該切目２２の延在方向（第１の方向）に平行な直線周りに曲がりやすくなる。このため、頭部の形状に沿って被覆部材２０を容易に変形させることができる。
【００２９】
隣り合う２つの切目２２の間隔を小さくするほど、装着時の被覆部材２０の形状を曲面に近づけることができる。そうすることにより、サンバイザー１のファッション性を高めることができるとともに、頭部の左右方向から被覆部材２０が受ける空気抵抗を小さく抑えることができる。かかる観点から、上記間隔は、２ｃｍ以下であることが好ましく、１ｃｍ以下であることがより好ましい。
【００３０】
切目２２は、第２の方向（頭部の左右方向）に沿って中央から両端に近づくにつれて短くなる。かかる長さの変化は、頭部の前後方向の長さの変化と同様である。すなわち、頭部を上から見たとき、その前後方向の長さも、中央から左右両端に近づくにつれて短くなる。したがって、このように切目２２の長さを変化させることにより、装着時に被覆部材２０を頭部にフィットさせやすくなる。
【００３１】
非装着時、被覆部材２０には、開口が存在しない。それゆえ、被覆部材２０内には製造時に切除すべき部分が存在しないため、被覆部材２０ひいてはサンバイザー１の製造が容易となる。
【００３２】
庇部材１０及び被覆部材２０が紙製である場合、軽量なサンバイザー１を実現することができる。軽量化により、サンバイザー１の使用時の快適性を一層高めることができる。また、非装着時には、サンバイザー１の持ち運びが容易となる。
【００３３】
庇部材１０と被覆部材２０とが相異なる色を有している場合、装着時のサンバイザー１においては、庇部材１０の部分と被覆部材２０の部分とで異なる色が呈されることになる。これにより、サンバイザー１のファッション性を高めることができる。
【００３４】
庇部材１０と被覆部材２０とを固着する固着手段が設けられている場合、装着時、被覆部材２０から庇部材１０がずれるのを一層確実に防ぐことができる。特に固着手段が庇部材１０と被覆部材２０とを着脱自在に固着するものである場合、装着時には両者を固着する一方、非装着時には両者を分離して収納することが可能となる。これにより、サンバイザー１の利便性が向上する。
【００３５】
本発明は、上記実施形態に限定されるものではなく、様々な変形が可能である。上記実施形態において、被覆部材２０は、含水機能を有していてもよい。例えば、被覆部材２０の下面に含水ゲル層を設けることにより、被覆部材２０に含水機能をもたせることができる。含水ゲル層の材料としては、例えば、デキストリン、キサンタンガム、アルギン酸ナトリウム、マンナン、ゼラチン、ペクチン等の天然高分子、又はポリビニルアルコール（ＰＶＡ）、ポリアクリル酸ナトリウム、カルボキシメチルセルロース（ＣＭＣ）等の合成高分子を用いることができる。このように被覆部材２０が含水機能を有する場合、日光によって頭部の温度が上昇するのを防ぐことができる。
【００３６】
上記実施形態においては、切目２２が等間隔で配設された例を示した。しかし、切目２２は、不等間隔で配設されていてもよい。その場合、隣り合う２つの切目２２の間隔は、最大でも、２ｃｍ以下であることが好ましく、１ｃｍ以下であることがより好ましい。
【００３７】
上記実施形態においては、切目２２の延在方向（第１の方向）が頭部の前後方向に等しい場合を例示した。しかし、第１の方向は、任意であり、例えば頭部の左右方向に等しくてもよい。
【００３８】
上記実施形態においては、同一直線上に１つの切目２２のみが設けられた例を示した。しかし、図５に示すように、同一直線上に複数の切目２２が設けられていてもよい。同図において、例えば直線Ａ−Ａ上には、３つの切目２２が形成されていることがわかる。
【００３９】
上記実施形態においては、直線状の切目２２を例示した。しかし、切目２２は、図６に示すように、曲線状をしていてもよい。同図において、右半分の領域（被覆部材２０の中央と右端との間の領域）にある切目２２は、右側に膨らんだ弧状をしている。他方、左半分の領域（被覆部材２０の中央と左端との間の領域）にある切目２２は、左側に膨らんだ弧状をしている。
【００４０】
上記実施形態においては、被覆部材２０に切目２２が設けられた場合を例示した。しかし、切目２２を設けることは必須でない。被覆部材２０には、切目が設けられていなくてもよい。
【００４１】
上記実施形態においては、庇部材１０がシート状をしている場合を例示した。しかし、庇部材１０は、予め立体形状を有していてもよい。同様に、被覆部材２０は、例えば図７に示すように、予め椀状の立体形状を有していてもよい。
【００４２】
上記実施形態においては、固定部１４が伸縮性を有しない場合を例示した。しかし、固定部１４は、伸縮性を有していてもよい。固定部１４として例えばゴム紐又はゴムバンドを用いることにより、伸縮性を有する固定部１４を実現することができる。固定部１４が伸縮性を有する場合、装着者の頭部の大きさに応じて、開口部１６の大きさを調整することができる。
【００４３】
上記実施形態においては、一連の固定部１４が庇部材１０に１つだけ設けられた場合を例示した。しかし、庇部材１０には、例えば図８に示すように、２つの固定部１４ａ，１４ｂが設けられていてもよい。これらの固定部１４ａ，１４ｂは、紐状又は帯状をしている。固定部１４ａは、一端が張出部１２の左側に接続され、他端は自由端となっている。固定部１４ｂは、一端が張出部１２の右側に接続され、他端は自由端となっている。装着時、固定部１４ａの自由端と固定部１４ｂの自由端とは、図９に示すように、互いに連結される。これにより、開口部１６が形成される。かかる連結は、例えば粘着テープ又は面ファスナーを介して行うことができる。あるいは、固定部１４ａの自由端と固定部１４ｂの自由端とを互いに結びつけることにより、両者を連結してもよい。かかる構成の場合も、装着者の頭部の大きさに応じて、開口部１６の大きさを調整することができる。
【符号の説明】
【００４４】
１  サンバイザー
１０  庇部材
１２  張出部
１４  固定部
１４ａ  固定部
１４ｂ  固定部
１６  開口部
２０  被覆部材
２２  切目
【図１】
2016191187.tif 000003
【図２】
2016191187.tif 000004
【図３】
2016191187.tif 000005
【図４】
2016191187.tif 000006
【図５】
2016191187.tif 000007
【図６】
2016191187.tif 000008
【図７】
2016191187.tif 000009
【図８】
2016191187.tif 000010
【図９】
2016191187.tif 000011